(57)【要約】【課題】折畳み式ユニットハウスの連結部において、高い防塵効果を発揮し、しかも、ユニットハウス連結時の防塵作業も容易に行える折畳み式ユニットハウスの防塵構造の提供を目的とする。【解決手段】連棟部分に位置する天井部材Ａ、床部材Ｂ、壁部材Ｃの各連結部分に夫々気密フィルムＦを装着する。各部材の連結時に気密フィルムＦを重ねて巻き込むようにするフィルム連結部１０を設ける。気密フィルムＦを天井パネル１の裏面に沿って装着する。天井部材Ａ相互が突き当たる位置に前記フィルム連結部１０を設ける。フィルム連結部１０を覆う天井カバー２を天井部材Ａ相互に装着する。【選択図】図１
0003102414.tif 000002
【実用新案登録請求の範囲】
【請求項１】
折畳み式ユニットハウスにおいて、連棟部分に位置する天井部材、床部材、壁部材の各連結部分に夫々気密フィルムを装着し、各部材の連結時に気密フィルムを重ねて巻き込むようにするフィルム連結部を設けたことを特徴とする折畳み式ユニットハウスの防塵構造。
【請求項２】
前記気密フィルムは、天井パネルの裏面に沿って装着され、天井部材相互が突き当たる位置に前記フィルム連結部を設け、該フィルム連結部を覆う天井カバーを天井部材相互に装着した請求項１記載の折畳み式ユニットハウスの防塵構造。
【請求項３】
前記気密フィルムは、床板裏面に沿って装着され、床部材相互が突き当たる位置に前記フィルム連結部を設け、該フィルム連結部を覆う床カバーを床部材相互に装着した請求項１又は２記載の折畳み式ユニットハウスの防塵構造。
【請求項４】
前記気密フィルムは、壁部材の連棟位置に配置された柱に沿って装着され、柱が突き当たる位置の室内側に前記フィルム連結部を設け、該フィルム連結部を覆う柱カバーを柱に装着した請求項１乃至３いずれか記載の折畳み式ユニットハウスの防塵構造。
【請求項５】
折畳み式ユニットハウスにおいて、連棟部分に位置する天井部材、床部材、壁部材の各連結部分に夫々気密フィルムを装着し、各部材の連結時に気密フィルムを重ねて巻き込むようにするフィルム連結部を設け、壁部材を構成する壁パネルの上下にパッキンを設けると共に、壁パネルと壁部材の連結位置に配置された柱との間及び、壁パネル相互間に配置される中柱と壁パネルとの間にパッキンを介したことを特徴とする折畳み式ユニットハウスの防塵構造。
【請求項６】
前記壁部材に設けた戸口の外側に、更に独立したスペースに出入り口を設けた風除室を連設した請求項５記載の折畳み式ユニットハウスの防塵構造。
【考案の詳細な説明】
【技術分野】
【０００１】
本考案は、折畳み式ユニットハウスの防塵構造に係り、砂塵や粉雪等の侵入を防止する折畳み式ユニットハウスの防塵構造に関する。
【背景技術】
【０００２】
ユニットハウスは、主に鉄骨や木を材料とした屋根、床、柱のフレームに断熱機能を備えたパネルを組み合わせることにより箱形の居住空間を提供する工業製品である。
【０００３】
当出願人は、確実な止水が可能となり、止水作業の確認を目視で行うことができる連棟型ユニットハウスの止水構造を特許文献１で提案している。この止水構造は、ユニットハウスの開口部に紐状パッキンを設け、この紐状パッキンを開口部相互が当接する当接面の長手方向に沿って設けた収納凹部に装着し、ユニットハウス連結時に開口側部間を紐状パッキンでシールする構造である。
【０００４】
一方、特許文献２において、シール剤塗布・充填作業を行うことなく、ユニットハウスの水密性や気密性を確保し得るユニットハウス接続構造が提案されている。この接続構造は、ユニットハウスを母屋に取り付ける際に、対向する枠体の外枠部に圧接される外側シール部と、内枠部に圧接される内側シール部とを形成するウエザーストリップを設けることで、ユニットハウス接続部分を２重のシール部にてシールするようにした接続構造である。
【特許文献１】特開２００２−１２９６６６号公報
【特許文献２】特開２００３−２９３４５６号公報
【考案の開示】
【考案が解決しようとする課題】
【０００５】
特許文献１により、極めて機密性の高い連結が可能になっている。ところが、開口部に設けた紐状パッキンを、開口部の長手方向に沿って設けた収納凹部に装着するものなので、開口部が直線形状を成しているタイプのユニットハウスに適用可能であるが、折畳み式ユニットハウスのように開口部周辺の部材を個々に連結するタイプのユニットハウスでは、紐状パッキンを使用することは困難である。
【０００６】
また、運搬時に折畳み、現場で組み立てる折畳み式ユニットハウスにおいて防塵効果を高める場合、特に隙間風の侵入を防止する必要がある。例えば防水構造では、隙間等に侵入しようとする雨水を、この隙間の位置に流れ込まないようにすることで防水効果が得られるが、防塵構造では、隙間風に乗じてあらゆる方向から砂塵や風雪が侵入する可能性がある。したがって、折畳み式ユニットハウスで防塵効果を高める場合は、この隙間風の侵入をいかに防ぐかが重要な課題となっていた。
【０００７】
一方、特許文献２に記載された接続構造では、ユニットハウスを母屋に取り付ける際に好適な接続構造であっても、折畳み式ユニットハウスの気密性を確保し得る接続構造ではない。すなわち、対向する枠体の外枠部に圧接される外側シール部と、内枠部に圧接される内側シール部とを有するウエザーストリップによって、２重のシールを可能にしているが、このウエザーストリップを装着する工程が一般住宅と変わらない手間を要するので、この接続構造を折畳み式ユニットハウスに採用することは困難である。
【０００８】
そこで本考案は、上述の課題を解消すべく案出されたもので、折畳み式ユニットハウスの連結部において、高い防塵効果を発揮し、しかも、ユニットハウス連結時の防塵作業も容易に行える折畳み式ユニットハウスの防塵構造の提供を目的とするものである。
【課題を解決するための手段】
【０００９】
本考案の第１の手段は、折畳み式ユニットハウスにおいて、連棟部分に位置する天井部材Ａ、床部材Ｂ、壁部材Ｃの各連結部分に夫々気密フィルムＦを装着し、各部材の連結時に気密フィルムＦを重ねて巻き込むようにするフィルム連結部１０を設けたことにある。
【００１０】
第２の手段において、前記気密フィルムＦは、天井パネル１の裏面に沿って装着され、天井部材Ａ相互が突き当たる位置に前記フィルム連結部１０を設け、該フィルム連結部１０を覆う天井カバー２を天井部材Ａ相互に装着する。
【００１１】
第３の手段の前記気密フィルムＦは、床板３裏面に沿って装着され、床部材Ｂ相互が突き当たる位置に前記フィルム連結部１０を設け、該フィルム連結部１０を覆う床カバー４を床部材Ｂ相互に装着した請求項１又は２記載の折畳み式ユニットハウスの防塵構造。
【００１２】
第４の手段の前記気密フィルムＦは、壁部材Ｂの連棟位置に配置された柱５に沿って装着され、柱５が突き当たる位置の室内側に前記フィルム連結部１０を設け、該フィルム連結部１０を覆う柱カバー６を柱５に装着する。
【００１３】
第５の手段は、折畳み式ユニットハウスにおいて、連棟部分に位置する天井部材Ａ、床部材Ｂ、壁部材Ｃの各連結部分に夫々気密フィルムＦを装着し、各部材の連結時に気密フィルムＦを重ねて巻き込むようにするフィルム連結部１０を設け、壁部材Ｂを構成する壁パネル７の上下にパッキンＰを設けると共に、壁パネル７と壁部材Ｂの連結位置に配置された柱５との間及び、壁パネル７相互間に配置される中柱８と壁パネル７との間にパッキンＰを介したことにある。
【００１４】
第６の手段は、前記壁部材Ｃに設けた戸口の外側に、独立したスペースに出入り口２１を設けた風除室２０を連設したことを課題解消のための手段とする。
【考案の効果】
【００１５】
本考案の請求項１乃至４による防塵構造によると、連棟部分に位置する天井部材Ａ、床部材Ｂ、壁部材Ｃの各連結部分に夫々気密フィルムＦを装着し、各部材の連結時に気密フィルムＦを重ねて巻き込むようにするフィルム連結部１０を設けたことにより、折畳み式ユニットハウスの連結部において、高い防塵効果を発揮し、しかも、ユニットハウス連結時の防塵作業も容易に行えるものである。
【００１６】
また、本考案の請求項５及び６に記載の防塵構造では、気密フィルムＦとパッキンＰ及び風除室２０とを備えることで、折畳み式ユニットハウス全体の防塵効果を更に高めることができる。
【００１７】
このように、本考案によると、折畳み式ユニットハウスの連結部は勿論、全体の構成においても、高い防塵効果を発揮し、しかも、ユニットハウス連結時の防塵作業も容易に行えるといった有益な種々の効果を奏するものである。
【考案を実施するための最良の形態】
【００１８】
本考案によると、連棟部分に位置する天井部材Ａ、床部材Ｂ、壁部材Ｃの各連結部分に夫々気密フィルムＦを装着し、各部材の連結時に気密フィルムＦを重ねて巻き込むようにするフィルム連結部１０を設け、壁部材Ｂを構成する壁パネル７の上下にパッキンＰを設けると共に、壁パネル７と壁部材Ｂの連棟位置に配置された柱５との間及び、壁パネル７相互間に配置される中柱８と壁パネル７との間にパッキンＰを介し、前記壁部材Ｃに設けた戸口の外側に、独立したスペースに出入り口２１を設けた風除室２０を連設することで当初の目的を達成する。
【実施例】
【００１９】
本考案防塵構造は、折畳み状態で運搬し（図８参照）、現場で組み立てる折畳み式ユニットハウスに使用するものである（図１参照）。本考案の主な防塵構造は、連棟部分に位置する天井部材Ａ、床部材Ｂ、壁部材Ｃの各連結部分に設けた気密フィルムＦとフィルム連結部１０とで構成する。
【００２０】
気密フィルムＦは、例えばポリエチレン樹脂のような合成樹脂材を用いたフィルムが好適で、気密フィルムＦの端部を手指で重ねて巻き込むことができる厚さの気密フィルムＦを使用する。この気密フィルムＦは、前記天井部材Ａ、床部材Ｂ、壁部材Ｃの各連結部分の長手方向に沿って装着する（図１参照）。気密フィルムＦは、連結部分に沿った帯状に形成し、必要箇所を部分的に被覆する他、各部材全体を気密フィルムＦで被覆するように設けることも可能である。
【００２１】
フィルム連結部１０は、各部材の連結時に気密フィルムＦを重ねて巻き込むようにするスペースである。このフィルム連結部１０は、気密フィルムＦと共に、前記天井部材Ａ、床部材Ｂ、壁部材Ｃの各連結部分に夫々設けられている。
【００２２】
天井部材Ａでは、気密フィルムＦを天井パネル１の裏面に沿って装着する（図２（イ）参照）。そして、天井部材Ａ相互が突き当たる位置に前記フィルム連結部１０を設ける。更に、該フィルム連結部１０を覆う天井カバー２を天井パネル１相互に装着するものである（図２（ロ）参照）。
【００２３】
床部材Ｂでは、気密フィルムＦを床板３裏面に沿って装着する（図３（イ）参照）。また、床部材Ｂ相互が突き当たる位置に前記フィルム連結部１０を設ける。更に、該フィルム連結部１０を覆う床カバー４を床部材Ｂ相互に装着している（図３（ロ）参照）。
【００２４】
壁部材Ｃの気密フィルムＦは、壁部材Ｂの連棟位置に配置された柱５に沿って装着する（図４参照）。そして、柱５が突き当たる位置の室内側にフィルム連結部１０を設ける。更に、該フィルム連結部１０を覆う柱カバー６を柱５に装着するものである。
【００２５】
これらの気密フィルムＦとフィルム連結部１０とを前記天井部材Ａ、床部材Ｂ、壁部材Ｃの各連結部分に夫々設けることで、連棟部分の気密性を高めることができる。また、折畳み式ユニットハウスでは、更に壁部材Ｃの連結部分において隙間が生じることがある。そこで、前記気密フィルムＦに加えて、壁部材Ｂを構成する壁パネル７の上下や、左右の連結部分にパッキンＰを装着すると、更に防塵性を高めることができる。
【００２６】
壁パネル７の上下にパッキンＰを設ける場合は、天井部材Ａと壁部材Ｃとの連結部分に設ける（図５参照）。天井部材Ａの連結部では、屋根パネル９にパネル受け１Ａを設ける際に、この屋根パネル９とパネル受け１Ａとの間にパッキンＰを介すると共に、パネル受け１Ａと壁パネル７上端部との間にもパッキンＰを介している。一方、床部材Ｂの連結部は、床板３の端部にパッキンＰを設け、壁パネル７と床板３との気密性を高めている。
【００２７】
壁パネル７の左右にパッキンＰを設ける場合は、壁パネル７が柱５や中柱８と接する部分にパッキンＰを介する（図６参照）。柱５は、壁部材Ｂの連棟位置に配置された部材であり、中柱８は、壁パネル７相互間に配置される部材である。いずれの部材も連結部分に設けられた連結片５Ａ，７Ａ，８Ａを重ねて接続する構造であり、これらの連結片５Ａ，７Ａ，８Ａ相互間にパッキンＰを設けている。
【００２８】
折畳み式ユニットハウスでは、戸口からの出入りに際して砂塵や粉雪等が侵入する虞が生じる。そこで、壁部材Ｃに設けた戸口の外側に風除室２０を連結することで、防塵性能を高めている（図７（イ）参照）。この風除室２０は、独立したスペースを有するユニットで、壁部材Ｃに設けられている戸口の外側に装着する。この風除室２０には、出入り口（図示せず）を設けてあり、入室する者は、風除室２０の出入り口から風除室２０内に入り、出入り口を閉じた後で、本来の戸口から入室することになる。この結果、戸口から侵入する砂塵や風雪を風除室２０で防御することが可能になる。
【００２９】
図示例のユニットハウスは、特に砂塵の侵入を防止する仕様になっている（図７参照）。例えば、窓３０や風除室２０の出入り口等の開口部面積を一般仕様よりも縮小すると共に、窓３０の開閉機構に縦滑り出し機構を採用して密閉力を高め、砂塵の侵入を防止している。
【００３０】
また、炎天下でのユニットハウスの温度上昇を防止するために、天井部材Ａの上部に大屋根Ｄを設置すると共に、床部材Ｂの下に架台Ｅを設置している。大屋根Ｄは、壁部材Ｃより外側に張り出すように設けることで、直射日光を遮断し、庇効果により壁面熱量を低減する（図７（ロ）参照）。更に、天井部材Ａと大屋根Ｄとの間に形成される通気層による廃熱促進効果がある。一方、架台Ｅは、床下の通気層を確保し、地表面からの放熱の影響を少なくする効果がある。
【００３１】
尚、本考案の実施例は図示例に限定されるものではなく、本考案の要旨を変更しない範囲での設計変更、材質、材料の置換等は任意に行えるものである。
【図面の簡単な説明】
【００３２】
【図１】本考案の一実施例を示す概略斜視図である。
【図２】本考案の天井部材におけるフィルム連結部を示す要部断面図である。
【図３】本考案の床部材におけるフィルム連結部を示す要部断面図である。
【図４】本考案の壁部材におけるフィルム連結部を示す要部平断面図である。
【図５】本考案のパッキンを設けた状態を示す縦断面図である。
【図６】本考案のパッキンを設けた状態を示す要部平断面図である。
【図７】本考案の一実施例を示し、（イ）は側面図、（ロ）は正面図である。
【図８】本考案の運搬状態を示す斜視図である。
【符号の説明】
【００３３】
Ａ  天井部材
Ｂ  床部材
Ｃ  壁部材
Ｆ  気密フィルム
Ｐ  パッキン
１  天井パネル    １Ａ  パネル受け
２  天井カバー
３  床板
４  床カバー
５  柱            ５Ａ  連結片
６  柱カバー
７  壁パネル
８  中柱          ８Ａ  連結片
９  屋根パネル
１０  フィルム連結部
２０  風除室
３０  窓
【図１】
0003102414.tif 000003
【図２】
0003102414.tif 000004
【図３】
0003102414.tif 000005
【図４】
0003102414.tif 000006
【図５】
0003102414.tif 000007
【図６】
0003102414.tif 000008
【図７】
0003102414.tif 000009
【図８】
0003102414.tif 000010